(57)【要約】      （修正有）【課題】人体や精密機器への感受性が強くその影響が懸念される所定強度以上のエネルギーを持った特定周波数帯域の電磁波を選択的に検知する装置を最少限のシンプルな構成で実現し提供する。【解決手段】ノッチフィルターを使用せずに所定の強度を持ち特定周波数帯域の電磁波のみを選択的且つ高感度に受信するに相応しい所定の形状およびサイズとされたアンテナ、受信された特定周波数帯域の電磁波を増幅する回路、増幅した結果信号の表示手段のみを基本構成要素とする簡易な構成とすることを特徴とする人体や精密機器への感受性の強い特定周波数帯域電磁波を検知して信号を発する電磁波被爆検知装置。【選択図】図２
2009103594.tif 000002
【特許請求の範囲】
【請求項１】
ノッチフィルターを使用せずに所定の強度を持ち特定周波数帯域の電磁波のみを選択的且つ高感度に受信するに相応しい所定の形状およびサイズとされたアンテナ、受信された特定周波数帯域の電磁波を増幅する回路、増幅した結果信号の表示手段のみを基本構成要素とする簡易な構成としたことを特徴とする人体や精密機器への感受性の強い特定周波数帯域電磁波を検知して信号を発する電磁波被爆検知装置。
【請求項２】
アンテナへのアタッチメントによって受信する周波数帯域を変化させることを特徴とする請求項１に記載の人体や精密機器への感受性の強い特定周波数帯域電磁波を検知して信号を発する電磁波被爆検知装置。
【請求項３】
WHO勧告による電磁波被爆量の制限領域（NAVSEA OP 3565/NAVAIR 16-1-529 VOLUME1 SIXTH REVISIONより作成）である、５０MHｚ〜１０００MHｚのうち特に８００MHｚ前後を選択的に受信でき、最も人体に危険である帯域を効果的に検知するようにアンテナ形状を工夫することでアンテナの共振周波数領域を該周波数帯域に効果的にマッチングさせることで回路内にノッチフィルターが不要となるところの小型かつ簡易ならしめた請求項１又は請求項２に記載の人体や精密機器への感受性の強い特定周波数帯域電磁波を検知して信号を発する電磁波被爆検知装置。
【請求項４】
選択して検知すべき電磁波の周波数帯域がＷＨＯ勧告により人体への影響が懸念される５０〜１０００MHz、好ましくは１４０MHｚ前後又は８００MHz前後であることを特徴とする請求項１〜請求項３の何れか一つに記載の人体や精密機器への感受性の強い特定周波数帯域電磁波を検知して信号を発する電磁波被爆検知装置。
【請求項５】
選択して検知すべき電磁波の強度が０．２ミリワット／平方センチメートル以上であることを特徴とする請求項１〜請求項４の何れか１つに記載の人体や精密機器への感受性の強い特定周波数帯域電磁波を検知して信号を発する電磁波被爆検知装置。
【請求項６】
検知結果信号の表示手段が音声信号及び／又は光信号を利用したものであることを特徴とする請求項１〜請求項５の何れか１つに記載の人体や精密機器への感受性の強い特定周波数帯域電磁波を検知して信号を発する電磁波被爆検知装置。
【請求項７】
光信号を利用した表示手段として発光ダイオードを採用していることを特徴とする請求項６に記載の人体や精密機器への感受性の強い特定周波数帯域電磁波を検知して信号を発する電磁波被爆検知装置。
【請求項８】
表示手段として液晶表示装置を利用していることを特徴とする請求項１〜請求項７の何れか１つに記載の人体や精密機器への感受性の強い特定周波数帯域電磁波を検知して信号を発する電磁波被爆検知装置。
【請求項９】
アンテナの形状及びサイズをダイポール型アンテナの場合には２分の１波長、ボウタイ型アンテナの場合には4分の１波長を基準として制限することを特徴とする請求項１〜請求項８の何れか１つに記載の人体や精密機器への感受性の強い特定周波数帯域電磁波を検知して信号を発する電磁波被爆検知装置。
【請求項１０】
予め定めた強度以上の電磁波を識別する閾値検知回路、表示時間延長回路を備え、電磁波の被爆検知をより確実なものとしたことを特徴とする請求項１〜請求項９の何れか１つに記載の人体や精密機器への感受性の強い特定周波数帯域電磁波を検知して信号を発する電磁波被爆検知装置。
【請求項１１】
電磁波の被爆頻度をも検知して表示させることを特徴とした請求項１〜請求項１０の何れか１つに記載の人体や精密機器への感受性の強い特定周波数帯域電磁波を検知して信号を発する電磁波被爆検知装置。
【請求項１２】
被爆検知装置に他物品等への取付け手段が附属されていることを特徴とする請求項１〜請求項１１の何れか１つに記載の人体や精密機器への感受性の強い特定周波数帯域電磁波を検知して信号を発する電磁波被爆検知装置。
【請求項１３】
取付け手段として平滑面への貼り付け接着手段を採用していることを特徴とする請求項１２に記載の人体や精密機器への感受性の強い特定周波数帯域電磁波を検知して信号を発する電磁波被爆検知装置。
【請求項１４】
装置の外観にキャラクター形状や模様などを利用していることを特徴とする請求項１〜請求項１３の何れか１つに記載の人体や精密機器への感受性の強い特定周波数帯域電磁波を検知して信号を発する電磁波被爆検知装置。            
【発明の詳細な説明】
【発明の属する技術分野】
【０００１】
本発明は、人体や精密機器への感受性が強くその影響が懸念される所定強度以上のエネルギーを持った特定周波数帯域の電磁波を選択的に検知する装置を最少限のシンプルな構成で実現し提供しようとするものである。なお、ここで電磁波は電波と実質的に同じものであると考えられている。
【従来の技術】
【０００２】
各種の電子機器やIT機器が大量に身の回りに存在する現代社会において、電磁波の存在は極めて日常的なものとなっており、電磁波の人体への悪影響を懸念してこれから身を守ろうとする発想のアイディアが複数提案され、電磁波を遮断する衣服の提案などもなされている。
【０００３】
【特許文献１】特開平１０−７７５０７号公報
【０００４】
また、各種の電磁波を検出する専門的な機器は当然に存在し使用されている。
【発明の開示】
【発明が解決しようとする課題】
【０００５】
しかし、上記したような電磁波遮断衣服は着心地が悪くファッション性にも欠け、コストも高くなり、また、その効果を中々実感できないことなどから一般に普及することはできないでいる。
また、専門的な電磁波の検出装置は、日常生活において電磁波の普遍的な存在を一般人に理解させるために使用するにはまったく適したものとなっていない。
【０００６】
つまり、現代社会において電磁波の存在が気にかかっていても、これを日常的に手軽に認識できるようにするための器具などはまったく存在していなかったのである。
【課題を解決するための手段】
【０００７】
本発明はこのような現状に鑑みて、現代社会において身の回りに日常的に存在している電磁波を一般人が気軽に検知して認識することができるようにするための簡易な電磁波検知装置を、最少限のシンプルな構成要素によって実現し、そのことによって該装置を広く普及させようとするものであって、より具体的には以下のようなものである。
【０００８】
（１）ノッチフィルターを使用せずに所定の強度を持ち特定周波数帯域の電磁波のみを選択的且つ高感度に受信するに相応しい所定の形状およびサイズとされたアンテナ、受信された特定周波数帯域の電磁波を増幅する回路、増幅した結果信号の表示手段のみを基本構成要素とする簡易な構成としたことを特徴とする人体や精密機器への感受性の強い特定周波数帯域電磁波を検知して信号を発する電磁波被爆検知装置。
【０００９】
（２）アンテナへのアタッチメントによって受信する周波数帯域を変化させることを特徴とする前記（１）項に記載の人体や精密機器への感受性の強い特定周波数帯域電磁波を検知して信号を発する電磁波被爆検知装置。
【００１０】
（３）WHO勧告による電磁波被爆量の制限領域（NAVSEA OP 3565/NAVAIR 16-1-529 VOLUME1 SIXTH REVISIONより作成）である、５０MHｚ〜１０００MHｚのうち特に８００MHｚ前後を選択的に受信でき、最も人体に危険である帯域を効果的に検知するようにアンテナ形状を工夫することでアンテナの共振周波数領域を該周波数帯域に効果的にマッチングさせることで回路内にノッチフィルターが不要となるところの小型かつ簡易ならしめた前記（１）項又は（２）項に記載の人体や精密機器への感受性の強い特定周波数帯域電磁波を検知して信号を発する電磁波被爆検知装置。
【００１１】
（４）選択して検知すべき電磁波の周波数帯域がＷＨＯ勧告により人体への影響が懸念される５０〜１０００MHz、好ましくは１４０MHｚ前後又は８００MHz前後であることを特徴とする前記（１）項又は（２）項に記載の人体や精密機器への感受性の強い特定周波数帯域電磁波を検知して信号を発する電磁波被爆検知装置。
【００１２】
（５）選択して検知すべき電磁波の強度が０．２ミリワット／平方センチメートル以上であることを特徴とする前記（１）項〜（４）項の何れか１つに記載の人体や精密機器への感受性の強い特定周波数帯域電磁波を検知して信号を発する電磁波被爆検知装置。
【００１３】
（６）検知結果信号の表示手段が音声信号及び／又は光信号を利用したものであることを特徴とする前記（１）項〜（５）項の何れか１つに記載の人体や精密機器への感受性の強い特定周波数帯域電磁波を検知して信号を発する電磁波被爆検知装置。
【００１４】
（７）光信号を利用した表示手段として発光ダイオードを採用していることを特徴とする前記（６）項に記載の人体や精密機器への感受性の強い特定周波数帯域電磁波を検知して信号を発する電磁波被爆検知装置。
【００１５】
（８）表示手段として液晶表示装置を利用していることを特徴とする前記（１）項〜（７）項の何れか１つに記載の人体や精密機器への感受性の強い特定周波数帯域電磁波を検知して信号を発する電磁波被爆検知装置。
【００１６】
（９）アンテナの形状及びサイズをダイポール型アンテナの場合には２分の１波長、ボウタイ型アンテナの場合には4分の１波長を基準として制限することを特徴とする前記（１）項〜（８）項の何れか１つに記載の人体や精密機器への感受性の強い特定周波数帯域電磁波を検知して信号を発する電磁波被爆検知装置。
【００１７】
（１０）予め定めた強度以上の電磁波を識別する閾値検知回路、表示時間延長回路を備え、電磁波の被爆検知をより確実なものとしたことを特徴とする前記（１）項〜（９）項の何れか１つに記載の人体や精密機器への感受性の強い特定周波数帯域電磁波を検知して信号を発する電磁波被爆検知装置。
【００１８】
（１１）電磁波の被爆頻度をも検知して表示させることを特徴とした前記（１）項〜（１０）項の何れか１つに記載の人体や精密機器への感受性の強い特定周波数帯域電磁波を検知して信号を発する電磁波被爆検知装置。
【００１９】
（１２）被爆検知装置に他物品等への取付け手段が附属されていることを特徴とする前記（１）項〜（１１）項の何れか１つに記載の人体や精密機器への感受性の強い特定周波数帯域電磁波を検知して信号を発する電磁波被爆検知装置。
【００２０】
（１３）取付け手段として平滑面への貼り付け接着手段を採用していることを特徴とする前記（１２）項に記載の人体や精密機器への感受性の強い特定周波数帯域電磁波を検知して信号を発する電磁波被爆検知装置。
【００２１】
（１４）装置の外観にキャラクター形状や模様などを利用していることを特徴とする前記（１）項〜（１３）項の何れか１つに記載の人体や精密機器への感受性の強い特定周波数帯域電磁波を検知して信号を発する電磁波被爆検知装置。    
【作用】
【００２２】
ノッチフィルターを使用せずに所定の強度を持ち特定周波数帯域の電磁波のみを選択的且つ高感度に受信するに相応しい所定の形状およびサイズとされたアンテナ、受信された特定周波数帯域の電磁波を増幅する回路、増幅した結果信号の表示手段のみを基本構成要素とする簡易な構成としたことにより、人体に悪影響が懸念される特定範囲の周波数帯域の電磁波のみをアンテナそのものの特性として選択的に受信・検知し、しかも最少限の簡易な構成で装置化することができ、小型且つ低コストで故障等の少ないものとして製品化することが可能となる。
【００２３】
アンテナへのアタッチメントによって受信する周波数帯域を変化させることにより、複雑な機構や処理を必要とするノッチフィルターを用いなくても、検知したい複数の周波数帯域の電磁波を自在に検知することもできるようになる。
【００２４】
選択して検知すべき電磁波の周波数帯域がＷＨＯ勧告により人体への影響が懸念される５０〜１０００MHz、好ましくは１４０MHｚ前後又は８００MHz前後であることにより、近時のＷＨＯ勧告で公表された胎児や生殖細胞への悪影響が否定し切れない周波数帯域の電磁波のみを確実に検知することができるようになる。また、実質的に人体への悪影響が懸念される周波数帯域の電磁波のみを選択して捉えることで、無駄な装置部品等を大幅に省くことが可能となる。
【００２５】
選択して検知すべき電磁波の強度が０．２ミリワット／平方センチメートル以上であることで、実質的に危険性を考える必要のない電磁波は省いて検知させることが可能となる。
【００２６】
表示手段が音声信号及び／又は光信号を利用したものであることにより、間違い無く識別することができる音声や光による信号を単独又は複合して検知信号となし、電磁波の存在を本発明装置の利用者に確実に知らせることができるようになる。
【００２７】
光信号を利用した表示手段として発光ダイオードを採用していることにより、省電力でありながら見易い光信号を検知信号として利用することが可能となる。
【００２８】
表示手段として液晶表示装置を利用していることにより、液晶表示モニターによる多様な表現力を利用した検知結果表示を行うことが可能となる。
【００２９】
アンテナの形状及びサイズをダイポール型アンテナの場合には２分の１波長、ボウタイ型アンテナの場合には4分の１波長を基準として制限することにより、アンテナそのものの物理的構成条件のみを制御することで特定の周波数帯域の電磁波のみを適切に受信し検知する専用の高感度アンテナを得る事ができるようになる。  
【００３０】
予め定めた強度以上の電磁波を識別する閾値検知回路、表示時間延長回路を備え、電磁波の被爆検知をより確実なものとしたことにより、人体への悪影響が懸念されるエネルギー強度及び周波数帯域を持った特定の電磁波を確実に検知すると共に間違いなく利用者に認識させることができるようになる。
【００３１】
電磁波の被爆頻度をも検知して表示させることにより、現在必ずしも人体への悪影響が証明されていない電磁波であっても一定期間中に繰り返し被爆することでの影響については科学的検証がなされていないような場合について、適切に人体への影響を回避するための指針を得ることができるようになる。
【００３２】
被爆検知装置に他物品等への取付け手段が附属されていることにより、継続的に検知を行うべき物品や場所などに本発明の被爆検知装置を自由に取り付けて簡単に電磁波検知を行うことができるようになる。
【００３３】
取付け手段として平滑面への貼り付け接着手段を採用していることにより、物品の平面的表面などに対しても本発明の電磁波被爆検知装置を自在に取り付けて必要とする検知結果を得ることができるようになる。
【００３４】
装置の外観にキャラクター形状や模様などを利用していることにより、日常生活上の違和感なく本発明の電磁波被爆検知装置を利用したり、趣味性を生かしたアクセサリー的要素も持った装置として普通に本発明を実施できるようになる。
【発明の実施の形態】
【００３５】
上記してきたような本発明の具体的な実施の形態の若干例を添付図面などを用いながら以下において説明する。
図１は、本発明による電磁波検知装置による電磁波検知の様子を示して説明図である。つまり、電磁波発生源から人体の感受性の強い周波数帯域の電波１が出されると本発明装置はこれを検知して信号２として表示して利用者に対する警告とするものである。
【００３６】
具体的には、アンテナで受けた電磁波を増幅回路で増幅し、ノッチフィルターを使わずにアンテナ形状そのものを利用して特定選択領域の電磁波を受信して、信号を発信させることを特徴とするところの電磁波検知回路を基本構成とするアンテナ形状で、受信する周波数帯域を選択可能とするもので、人体の感受性の強い周波数の電磁波を検知すると信号を発する装置とその方法。
【００３７】
図２は、本発明による電磁波検知装置による電磁波検知の様子を示して説明図である。すなわち、回路の基本構成としてはアンテナ３、検知と信号処理回路４、  表示素子（発光ダイオードと音響発生）５のみにより本発明は実現されるものとなっている。
【００３８】
図３は、本発明の電磁波検知装置の更なる改良を加えた実施形態の１例を図２と同様にその基本的回路構成図として示したものである。つまり、図３の上図はダイポール型アンテナ６、受信した電磁波の増幅回路７、表示素子としての発光ダイオード８により構成されえいるもので、下図はさらに、発光ダイオード８に加えての増幅回路９、整流回路１０、  閾値検知回路１１、発光時間延長回路１２を加えることで閾値検知回路１１により予め定めた強度を越える入力電磁波により発光し、発光時間延長回路１２により発光時間を延ばして電磁波検知を確実にした回路であって、人体の感受性の強い周波数の電磁波を検知すると信号を発する装置とその方法がより具体的に実現されるものである。
【００３９】
図４は、本発明装置に用いるアンテナの具体例を示したものである。つまり、ボウタイ型アンテナ１３またはダイポール型アンテナ１４が本発明装置を実現するにはふさわしいものである。
具体的には、特に、選択周波数帯域が狭い場合は、感度が高いが周波数帯域が狭いダイポール型アンテナを使用して、高感度を得、選択周波数帯域が広い場合は、感度が低いが周波数帯域が広いボウタイ型アンテナを使用する方法を提供するところの人体の感受性の強い周波数の電磁波を検知すると信号を発する装置とその方法を実現することが望ましい。
【００４０】
図５は、近時のWHO勧告による電磁波被爆量の制限領域（NAVSEA OP 3565/NAVAIR 16-1-529 VOLUME1 SIXTH REVISIONより作成）の説明を示したグラフ図である。人体への感受性が懸念される５０MHｚ〜１０００MHｚのうち特に８００MHｚ前後を本発明では選択的に受信でき、最も人体に危険である帯域を効果的に検知するようにアンテナ形状を工夫することでアンテナの共振周波数領域を該周波数帯域に効果的にマッチングさせることで、従来一般の電磁波検知装置に不可欠であったノッチフィルターが不要となるので、その結果として小型かつ簡易ならしめた人体の感受性の強い周波数の電磁波を検知すると信号を発する装置とその方法が実現するのである。
【００４１】
つまり、このWHO勧告による電磁波被爆量の制限領域（NAVSEA OP 3565/NAVAIR 16-1-529 VOLUME1 SIXTH REVISIONより作成）である、５０MHｚ〜１０００MHｚのうち特に８００MHｚ前後を選択的に受信することで、本発明は最も人体に危険である帯域を効果的に検知するようにアンテナ形状を工夫することでアンテナの共振周波数領域を該周波数帯域に効果的にマッチングさせることを狙い、例えば選択的に電波吸収し、感度が低いときは、周波数の帯域が広い、ボウタイ型アンテナ１３を用い、感度が高いときは、周波数範囲の狭いダイポール型アンテナ１４を用いることで回路内にノッチフィルターが不要となる人体の感受性の強い周波数の電磁波を検知すると信号を発する装置とその方法を実現している。
【００４２】
表示方法として音響の発生あるいは光による信号を用いたところの人体の感受性の強い周波数の電磁波を検知すると信号を発する装置とその方法も本発明により実現することは前記のとおりである。
【００４３】
電磁波強度により発光の色を変える音響の音量あるいは質を換えるあるいは液晶表示版の画面を変えることでより表現能力を変えることができるところの人体の感受性の強い周波数の電磁波を検知すると信号を発する装置とその方法も本発明で実現できる。
【００４４】
ダイポールアンテナ１４の長さや太さや幅や厚さを短くしたり長くしたり、細くしたり太くしたり、薄くしたり厚くしたりすることで該アンテナの感度を調整することで、共振周波数帯域を狭く選択することで人体の感受性の強い周波数の電磁波を検知すると信号を発する装置とその方法が実現する。
【００４５】
ボウタイ型アンテナ１３の場合は、4分の１波長で受信域を選ぶことが出来、ダイポール型アンテナ１４の場合は2分の１波長で受信域を選ぶことが出来る人体の感受性の強い周波数の電磁波を検知すると信号を発する装置とその方法が実現される。
【００４６】
一定の周波数に絞った、電波障害を防止する簡易な装置を提供することができる人体の感受性の強い周波数の電磁波を検知すると信号を発する装置とその方法が本発明では実現可能である。
【００４７】
本発明は、上記したWHO勧告による電磁波被爆量の制限領域（NAVSEA OP 3565/NAVAIR 16-1-529 VOLUME1 SIXTH REVISIONより作成）である、５０MHｚ〜１０００MHｚのうち特に８００MHｚ前後を選択的に受信でき、最も人体に危険である帯域を効果的に検知するようにアンテナ形状を工夫することでアンテナの共振周波数領域を該周波数帯域に効果的にマッチングさせることで回路内にノッチフィルターが不要となるところの小型かつ簡易ならしめた人体の感受性の強い周波数の電磁波を検知すると信号を発する装置を提供できるようになった。
【００４８】
ボウタイ型アンテナ１３を用い、感度が高いときは、周波数範囲の狭いダイポール型アンテナ１４を用いることで回路内にノッチフィルターが不要となる人体の感受性の強い周波数の電磁波を検知すると信号を発する装置を提供でき、かつ音や光等の信号で認識できるようになった。
【００４９】
特に、選択周波数帯域が狭い場合は、感度が高いが周波数帯域が狭いダイポール型アンテナ１４を使用して、高感度を得、選択周波数帯域が広い場合は、感度が低いが周波数帯域が広いボウタイ型アンテナ１３を使用する方法を提供するところの人体の感受性の強い周波数の電磁波を検知すると信号を発する装置を提供でき、かつ音や光等の信号で認識できるようになった。
【００５０】
表示方法として音響の発生あるいは光による信号を用いたところの人体の感受性の強い周波数の電磁波を検知すると信号を発する装置を提供でき、かつ音や光等の信号で認識できるようになった。
【００５１】
電磁波強度により発光の色を変える音響の音量あるいは質を換えるあるいは液晶表示版の画面を変えることでより表現能力を変えることができるところの人体の感受性の強い周波数の電磁波を検知すると信号を発する装置を提供でき、かつ音や光等の信号で認識できるようになった。
【００５２】
ダイポールアンテナ１４の長さや太さや幅や厚さを短くしたり長くしたり、細くしたり太くしたり、薄くしたり厚くしたりすることで該アンテナの感度を調整することで、共振周波数帯域を狭く選択することで人体の感受性の強い周波数の電磁波を検知すると信号を発する装置を提供でき、かつ音や光等の信号で認識できるようになった。
【００５３】
ボウタイ型アンテナ１３の場合は、4分の１波長で受信域を選ぶことが出来、ダイポール型アンテナの場合は2分の１波長で受信域を選ぶことが出来る人体の感受性の強い周波数の電磁波を検知すると信号を発する装置を提供でき、かつ音や光等の信号で認識できるようになった。
【００５４】
一定の周波数に絞った、電波障害を防止する簡易な装置を提供することができる人体の感受性の強い周波数の電磁波を検知すると信号を発する装置を提供でき、かつ音や光等の信号で認識できるようになった。
【産業上の利用可能性】
【００５５】
上記してきたような本発明は人体や機器への影響が懸念される電磁波を簡易かつ確実に検知して適切な警告を示すことができるので、電磁波問題がクローズアップされている現代社会において有用なものであり、したがって産業上の利用可能性において優れた発明であると理解できるものである。
【図面の簡単な説明】
【００５６】
【図１】本発明による電磁波検知装置による電磁波検知の様子を示した説明図である。
【図２】本発明による電磁波検知装置による電磁波検知の様子を示した説明図である。
【図３】本発明の電磁波検知装置の更なる改良を加えた実施形態の１例を図２と同様にその基本的回路構成図として示したものである。
【図４】本発明装置に用いるアンテナの具体例を示したものである。
【符号の説明】
【００５７】
１  人体の感受性の強い周波数帯域の電波
２  信号
３  アンテナ
４  検知と信号処理回路
５  表示素子（発光ダイオードと音響発生）
６  ダイポール型アンテナ
７  増幅回路
８  発光ダイオード
９  増幅回路
１０  整流回路
１１  閾値検知回路
１２  発光時間延長回路
１３  ボウタイ型アンテナ
１４  ダイポール型アンテナ
【図１】
2009103594.tif 000003
【図２】
2009103594.tif 000004
【図３】
2009103594.tif 000005
【図４】
2009103594.tif 000006